(57)【特許請求の範囲】
【請求項１】
放送されている番組を受信し、前記番組を映像情報データとして保存する映像情報処理装置と、
前記映像情報処理装置とネットワークを介して接続されており、利用者の要求に従い、前記番組に関する番組録画情報を前記映像情報処理装置に送信する端末装置と、
前記映像情報処理装置とネットワークを介して接続されており、前記映像情報処理装置から前記映像情報データを受信し、前記映像情報データを保存又は再生する映像蓄積再生装置とで構成され、
前記映像情報処理装置は、前記端末装置から利用者が要求する前記番組録画情報を受信し、利用者が要求する前記番組の前記映像情報データを前記映像蓄積再生装置に送信する映像記録システムにおいて、
前記映像情報処理装置は、前記番組をチャンネルごとに前記映像情報データとして保存する第１の蓄積装置と、
前記端末を利用する利用者ごとに前記映像情報データのリンクデータを保存する第２の蓄積装置とを備え、
前記映像情報処理装置は、前記端末装置から利用者が要求する前記番組録画情報を受信すると、利用者が要求する前記番組の前記映像情報データを第１の蓄積装置から選択し、当該選択された前記リンクデータを第２の蓄積装置に生成することを特徴とする映像記録システム。
【請求項２】
放送されている番組を受信し、前記番組を映像情報データとして保存、送信する映像情報処理装置であって、
利用者からの前記番組に関する番組録画情報の受信と、前記映像情報データの送信とを行うインターフェイス部と、
前記番組をチャンネルごとに前記映像情報データとして保存する第１の蓄積装置と、
前記利用者ごとに前記映像情報データへのリンクデータを保存する第２の蓄積装置とを備え、
前記インターフェイス部において、前記利用者より前記番組録画情報を受信すると、当該前記番組録画情報で特定される前記番組の前記映像情報データが前記第１の蓄積装置から選択され、選択された当該前記映像情報データへのリンクデータが前記第２の蓄積装置に生成されることを特徴とする映像情報処理装置。
【請求項３】
前記インターフェイス部は、ネットワークを介して前記利用者の端末装置と接続され、前記利用者は前記端末装置から前記番組録画情報を送信することを特徴とする請求項２に記載の映像情報処理装置。
【請求項４】
前記インターフェイス部は、前記映像情報データを保存、再生又は記録媒体に記録する映像蓄積再生装置とネットワークを介して接続され、前記第２の蓄積装置に保存された前記リンクデータに基づき、前記第１の蓄積装置に記録された前記映像情報データを選択し、前記映像蓄積再生装置に送信することを特徴とする請求項２又は請求項３に記載の映像情報処理装置。
【請求項５】
前記インターフェイス部は、前記映像情報データを記録媒体に記録する映像情報記録装置とネットワークを介して接続され、前記第２の蓄積装置に保存された前記リンクデータに基づき、前記第１の蓄積装置に記録された前記映像情報データを前記映像情報記録装置に送信することを特徴とする請求項２乃至請求項４のいずれか１つに記載の映像情報処理装置。
【請求項６】
前記映像情報処理装置は、前記利用者が要求する前記番組録画情報に基づき、利用者が要求する前記番組の前記映像情報データを記録媒体に記録することを特徴とする請求項２乃至請求項５のいずれか１つに記載の映像情報処理装置。
【発明の詳細な説明】
【０００１】
【発明の属する技術分野】
この発明は、映像記録システム及び映像情報処理装置に係る発明であって、特に、ネットワークを用いた映像記録システム及び映像情報処理装置に関するものである。
【０００２】
【従来の技術】
最近、映像情報のデジタル化にともない、映像の記録方法や供給方法として様々な手法が検討されてきている。例えば、映像の記録方法としては、従来のＶＨＳテープ、ＤＶＤ、ハードディスクにデジタル情報を記録する方法が検討され発売されている。一方、映像の供給方法としては、インターネットの発達によりデジタル情報をネットワークを介して供給する方法や携帯電話等の発達によりデジタル情報を無線で供給する方法が検討され使用されている。これら映像の記録方法や供給方法を利用した例としては特開２００１−１８６４５２がある。これは、ネットワークを利用することで、返却不要の小容量の記録媒体を用いた映像供給システムである。
【０００３】
また、現在アナログ放送であるＴＶ放送が、今後デジタル化されることになっている。このＴＶ放送のデジタル化にともない、従来インターネットへの接続機能を有している携帯端末にデジタル放送を受信する機能を追加することも検討されている。
【０００４】
【発明が解決しようとする課題】
ＴＶ放送の視聴者が、番組を急遽録画したいと考えた場合に、番組が既に始まっているときには、番組の途中からでないと録画できなかった。また、番組終了後に録画したいと考える場合には、全く録画できなかった。このような場合、最初から番組を録画するためには再放送を待つしかないという問題点があった。
【０００６】
そこで、この発明は、番組途中から録画の開始要求をしても、番組の最初から録画可能な映像記録システム及び映像情報処理装置を提供することを目的とする。
【０００７】
【課題を解決するための手段】
本発明の請求項１に係る解決手段は、放送されている番組を受信し、番組を映像情報データとして保存する映像情報処理装置と、映像情報処理装置とネットワークを介して接続されており、利用者の要求に従い、番組に関する番組録画情報を映像情報処理装置に送信する端末装置と、映像情報処理装置とネットワークを介して接続されており、映像情報処理装置から映像情報データを受信し、映像情報データを保存又は再生する映像蓄積再生装置とで構成され、映像情報処理装置は、端末装置から利用者が要求する番組録画情報を受信し、利用者が要求する番組の映像情報データを映像蓄積再生装置に送信する映像記録システムにおいて、映像情報処理装置は、番組をチャンネルごとに映像情報データとして保存する第１の蓄積装置と、端末を利用する利用者ごとに映像情報データのリンクデータを保存する第２の蓄積装置とを備え、映像情報処理装置は、端末装置から利用者が要求する番組録画情報を受信すると、利用者が要求する番組の映像情報データを第１の蓄積装置から選択し、当該選択されたリンクデータを第２の蓄積装置に生成することを特徴とする。
【０００８】
本発明の請求項２に係る解決手段は、放送されている番組を受信し、番組を映像情報データとして保存、送信する映像情報処理装置であって、利用者からの番組に関する番組録画情報の受信と、映像情報データの送信とを行うインターフェイス部と、番組をチャンネルごとに映像情報データとして保存する第１の蓄積装置と、利用者ごとに映像情報データへのリンクデータを保存する第２の蓄積装置とを備え、インターフェイス部において、利用者より番組録画情報を受信すると、当該番組録画情報で特定される番組の映像情報データが第１の蓄積装置から選択され、選択された当該映像情報データへのリンクデータが第２の蓄積装置に生成されることを特徴とする。
【０００９】
本発明の請求項３に係る解決手段は、インターフェイス部は、ネットワークを介して利用者の端末装置と接続され、利用者は端末装置から番組録画情報を送信することを特徴とする。
【００１０】
本発明の請求項４に係る解決手段は、インターフェイス部は、映像情報データを保存、再生又は記録媒体に記録する映像蓄積再生装置とネットワークを介して接続され、第２の蓄積装置に保存されたリンクデータに基づき、第１の蓄積装置に記録された映像情報データを選択し、映像蓄積再生装置に送信することを特徴とする。
【００１１】
本発明の請求項５に係る解決手段は、インターフェイス部は、映像情報データを記録媒体に記録する映像情報記録装置とネットワークを介して接続され、第２の蓄積装置に保存されたリンクデータに基づき、第１の蓄積装置に記録された映像情報データを映像情報記録装置に送信することを特徴とする。
【００１２】
本発明の請求項６に係る解決手段は、映像情報処理装置は、利用者が要求する番組録画情報に基づき、利用者が要求する番組の映像情報データを記録媒体に記録することを特徴とする。
【００１９】
【発明の実施の形態】
（実施の形態１）
図１は、実施の形態１の映像記録システムの概念図である。本実施の形態の映像記録システムは、放送センター１０１、通信基地局１０２、ネットワーク１０３、携帯端末装置１１１、記録センター１１２、利用者宅Ａ１１３、家庭用蓄積装置１２１、ＴＶ１２２から構成されている。ここで、端末装置である携帯端末装置１１１は、ＴＶ放送を受信する機能と番組録画情報を送信する機能を有する。また、映像情報処理装置である記録センター１１２は、ＴＶ放送を受信して番組を映像情報データとして保存する機能と映像情報データを送信する機能を有する。また、映像蓄積再生装置である家庭用蓄積装置１２１は、映像情報データを受信し蓄積する機能とＴＶに再生する機能がある。そして、携帯端末装置１１１と記録センター１１２とは、通信基地局１０２及びネットワーク１０３を介して繋がっている。また、記録センター１１２と家庭用蓄積装置１２１とは、ネットワーク１０３を介して繋がっている。
【００２０】
次に、本実施の形態の動作について説明する。本実施の形態の映像記録システムを利用する利用者が携帯端末装置１１１で放送センター１０１からのＴＶ放送を視聴しているとき、利用者は現在視聴している番組を録画したいと考える場合がある。その場合、利用者は、録画依頼のため携帯端末装置１１１から当該番組の番組情報を含む番組録画情報を通信基地局１０２及びネットワーク１０３を介して記録センター１１２に送信する。
【００２１】
一方、記録センター１１２では、放送センター１０１から放送されるすべての番組を映像情報データとして保存している。そして、利用者から番組録画情報を受信した場合、記録センター１１２は、番組録画情報に対応する映像情報データを利用者の家庭用蓄積装置１２１に送信できるように準備する。
【００２２】
利用者は、ネットワーク１０３を介して記録センター１１２に接続されている利用者宅Ａの家庭用蓄積装置１２１を使って、記録センター１１２に番組録画情報に対応する映像情報データの送信を要求する。要求を受けた記録センター１１２は、利用者宅Ａ１１３の家庭用蓄積装置１２１に当該映像情報データの送信を行う。利用者は、送信された当該映像情報データを利用者宅Ａ１１３の家庭用蓄積装置１２１で受信し、ＴＶ１２２で当該映像情報データを視聴する。
【００２３】
次に、端末装置である携帯端末装置１１１、映像情報処理装置である記録センター１１２及び映像蓄積再生装置である家庭用蓄積装置１２１の構成及び動作について説明する。
【００２４】
まず、図２に端末装置である携帯端末装置１１１の概略図を示す。携帯端末装置１１１は、受信アンテナ２００、チューナ２０１、映像復調部２０２、ＴＶ部２０３、番組情報取得手段２０４、通信手段２０５、制御部２１０、制御ボタン２１１から構成されている。
【００２５】
ＴＶ放送を受信アンテナ２００で受信し、チューナ２０１で選局された番組の信号は、映像復調部２０２に送られる。映像復調部２０２に送られた信号は、復調されＴＶ部２０３に映像として表示される。利用者が制御ボタン２１１を操作することにより、制御部２１０を介してチューナ２０１、映像復調部２０２、ＴＶ部２０３が制御され、チャンネルや音量等が調整される。
【００２６】
一方、番組を録画したいと考えたとき、利用者は、制御ボタン２１１を操作し制御部２１０に録画の指示をする。制御部２１０は、番組情報取得手段２０４に対し映像復調部２０２からチャンネル・放送時間等を含んだ番組情報を取得するように制御する。次に、制御部２１０は、通信手段２０５に対し利用者情報や番組情報取得手段２０４が取得した番組情報等を含む番組録画情報を記録センター１１２に送信するように制御する。
【００２７】
次に、図３に映像情報処理装置である記録センター１１２の概略図を示す。記録センター１１２は、アンテナ３００、チューナ３０１、ネットワークＩ／Ｆ３０２、記録指示制御部３０３、１次蓄積装置３１０、データコピー制御部３２１、利用者用蓄積装置３３０、利用者用蓄積装置制御部３４１から構成されている。ここで、ネットワークＩ／Ｆ３０２はネットワーク１０３に接続されている。
【００２８】
第１に記録センター１１２は、放送センター１０１が放送しているすべての番組をアンテナ３００で受信し、チューナ３０１で番組をチャンネルごとに分けて、すべての番組を映像情報データとして１次蓄積装置３１０に保存する。つまり、チャンネル１（以下、「ｃｈ１」ともいう。）で放送されている番組はｃｈ１用１次蓄積装置３１１に、チャンネル２で放送されている番組はｃｈ２用１次蓄積装置３１２にそれぞれ映像情報データとして保存される。
【００２９】
ここで、図４にｃｈ１用１次蓄積装置に映像情報データが保存されている形式の概念図を示す。番組１の映像情報データは、まず番組情報４０１、その次に映像データ４０２、そして最後に番組終了フラグ４０３の順で構成され、ｃｈ１用１次蓄積装置３１１に保存されている。同様に番組２の映像情報データも、番組情報４０４、映像データ４０５、番組終了フラグ４０６の順で構成され、番組１の番組終了フラグ４０３の次に番組２の番組情報４０４が続くようにｃｈ１用１次蓄積装置３１１に保存されている。このような保存形式で、ｃｈ１で放送されているすべての番組を映像情報データとしてｃｈ１用１次蓄積装置３１１に保存している。なお、ｃｈ１用１次蓄積装置の保存容量を超えた場合、記録されている最も古い番組の映像情報データを消去して、新しい番組の映像情報データを保存している。
【００３０】
第２に記録センター１１２は、利用者から送信された番組録画情報を通信基地局１０２及びネットワーク１０３を経てネットワークＩ／Ｆ３０２で受信する。ネットワークＩ／Ｆ３０２に届いた番組録画情報は、記録指示制御部３０３に送られる。この記録指示制御部３０３では、データコピー制御部３２１に番組録画情報に基づいて１次蓄積装置３１０から利用者が要求する映像情報データを探し出し、当該映像情報データを利用者ごとに設けられている利用者用蓄積装置３３０に複製するように指示する。例えば、番組録画情報に含まれている番組情報がｃｈ１の番組１で、利用者情報が利用者Ａの場合、データコピー制御部３２１は、ｃｈ１用１次蓄積装置３１１から番組１を探し出し、その番組１の映像情報データ（番組情報４０１、映像データ４０２、番組終了フラグ４０３）を利用者Ａ用の蓄積装置３３１に複製する。
【００３１】
ここで、図５に利用者Ａ用蓄積装置に映像情報データが保存されている形式の概念図を示す。利用者Ａ用蓄積装置３３１に保存されている番組１の映像情報データは、ｃｈ１用１次蓄積装置３１１に保存されている番組情報４０１、映像データ４０２、番組終了フラグ４０３を番組情報５０１、映像データ５０２、番組終了フラグ５０３に複製している。同様に番組３の映像情報データも、番組情報５０４、映像データ５０５、番組終了フラグ５０６の順で１次蓄積装置３１０から利用者Ａ用蓄積装置３３１に複製し保存されている。このような保存形式で、利用者Ａが録画を要求する番組の映像情報データは、利用者Ａ用蓄積装置３３１に保存されている。なお、利用者Ａ用蓄積装置３３１の保存容量を超えた場合、記録されている最も古い番組の映像情報データを消去して、新しい番組の映像情報データを保存する。また、利用者用蓄積装置３３０には、利用者Ａ用蓄積装置３３１と同様の蓄積装置が利用者分用意されており、例えば利用者Ｂ用蓄積装置３３２がある。
【００３２】
第３に記録センター１１２は、利用者が家庭用蓄積装置１２１を使って利用者用蓄積装置３３０に保存している映像情報データの送信を要求する場合、当該要求をネットワーク１０３を介してネットワークＩ／Ｆ３０２で受信する。受信した要求は、利用者用蓄積装置制御部３４１に送られる。この利用者用蓄積装置制御部３４１では、要求された映像情報データを利用者用蓄積装置３３０から探し出し、当該映像情報データ（番組情報、映像データ、番組終了フラグを含む。）を、利用者の家庭用蓄積装置１２１にネットワークＩ／Ｆ３０２及びネットワーク１０３を介して送信する。例えば、利用者Ａが録画を要求してあった番組１の映像情報データを記録センター１１２に送信要求する場合、まず、利用者用蓄積装置制御部３４１は、番組１と一致する映像情報データを利用者Ａ用蓄積装置３３１から探し出す。そして、探し出された映像情報データ（番組情報５０１、映像データ５０２、番組終了フラグ５０３を含む。）は、ネットワーク１０３を介して利用者宅Ａ１１３の家庭用蓄積装置１２１に送信される。
【００３３】
次に、図６に映像蓄積再生装置である家庭用蓄積装置１２１の概略図を示す。家庭用蓄積装置１２１は、制御部６０１、ネットワークＩ／Ｆ６０２、映像蓄積装置６０３、メディア記録装置６０４、映像復調装置６０５から構成されている。さらに、家庭用蓄積装置１２１は、リモコン６１０により操作が可能であり、映像復調装置６０５の出力はＴＶ１２２に表示されるように構成されている。ここで、ネットワークＩ／Ｆ６０２はネットワーク１０３に接続されている。
【００３４】
利用者が、記録センター１１２に対して録画要求した番組の映像情報データを家庭用蓄積装置１２１に送信するように要求する場合、利用者はリモコン６１０を操作して家庭用蓄積装置１２１に送信要求の指示をする。リモコン６１０からの送信要求のリモコン信号は、制御部６０１で受信され、ネットワークＩ／Ｆ６０２及びネットワーク１０３を介して記録センター１１２に送信される。記録センター１１２は、家庭用蓄積装置１２１からの送信要求を受け、送信要求された映像情報データをネットワーク１０３及びネットワークＩ／Ｆ６０２を介して映像蓄積装置６０３に送信する。映像蓄積装置６０３が受信した映像情報データは、映像復調装置６０５で映像に復調され、利用者は、当該映像情報データをＴＶ１２２で視聴することができる。また、利用者は、必要に応じて映像蓄積装置６０３に受信した映像情報データをメディア記録装置６０４で記録媒体（例えば、ＤＶＤ−ＲやＤＶＤ−ＲＡＭ等）に保存することができる。ここで、制御部６０１は、ネットワークＩ／Ｆ６０２、映像蓄積装置６０３、メディア記録装置６０４、映像復調装置６０５を制御する。
【００３５】
上記実施の形態１に示した映像記録システムとすることで、番組途中から録画の開始要求をしても、番組の最初から録画可能とすることができる。また、遠隔操作によって録画したい番組を確実に録画し、その後視聴することができる。また、家庭用蓄積装置１２１にメディア記録装置６０４が含まれているため映像蓄積装置６０３の記録容量を少なくすることもできる。
【００３６】
上記図４，５で示した、記録センター１１２内での映像情報データの保存形式は例示であり、他の保存形式であっても良い。例えば、上記図５では利用者用蓄積装置３３０に録画要求のあった番組の番組情報、映像データ、番組終了フラグのすべてを１次蓄積装置３１０から複製している。これを利用者用蓄積装置３３０には、録画要求のあった番組の番組情報、映像データ、番組終了フラグを１次蓄積装置３１０から複製せずに、１次蓄積装置上の番組情報、映像データ、番組終了フラグの保存場所を示すリンクデータのみを保存する形式でも良い。
【００３７】
また、上記実施の形態１で示した映像記録システムでは、映像蓄積再生装置である家庭用蓄積装置１２１にメディア記録装置６０４の機能が付加されているが、このメディア記録装置６０４の機能がない家庭用蓄積装置でも良い。つまり図６に示した家庭用蓄積装置１２１においてメディア記録装置６０４が省略された家庭用蓄積装置である。この家庭用蓄積装置でも、上記実施の形態１と同様番組途中から録画の開始要求をしても、番組の最初から録画可能とすることができる。また、遠隔操作によって録画したい番組を確実に録画し、その後視聴することができる。
【００３８】
さらに、上記実施の形態１で示した映像記録システムでは、端末装置である携帯端末装置にＴＶ放送を受信するための機能が付加されていたが、この機能が付加されていない携帯端末装置でも良い。つまり図２に示した携帯端末装置１１１において受信アンテナ２００及びチューナ２０１が省略された携帯端末装置である。この携帯端末装置でも、上記実施の形態１と同様番組途中から録画の開始要求をしても、番組の最初から録画可能とすることができる。また、遠隔操作によって録画したい番組を確実に録画し、その後視聴することができる。
【００３９】
（実施の形態２）
図７に本実施の形態の映像記録システムの概念図を示す。本実施の形態の映像記録システムは、図１に示した映像記録システムにコンビニエンスストア１１４、利用者宅Ｂ１１５、メディア１１６、映像ダウンロード装置１３１、家庭用再生装置１４１、ＴＶ１４２を追加した構成である。ここで、映像情報記録装置である映像ダウンロード装置１３１は、映像情報データを受信する機能と映像情報データを記録媒体（例えば、ＤＶＤ−ＲやＤＶＤ−ＲＡＭ等）に記録する機能を有する。そして、映像ダウンロード装置１３１と記録センター１１２とは、ネットワークを介して接続されている。
【００４０】
上記で説明した実施の形態１では、記録センター１１２に保存されている映像情報データをネットワークを介して家庭用蓄積装置１２１に送信しなければ、映像情報データを視聴することはできなかった。そのため、ネットワークに接続された家庭用蓄積装置１２１を有していない者は、本発明の映像記録システムを利用することができない。そこで、本実施の形態ではネットワークに接続された映像情報記録装置である映像ダウンロード装置１３１をさらに映像記録システムに備えることで、家庭用蓄積装置１２１を有していない者であっても本発明の映像記録システムを利用できるようにする。
【００４１】
例えば利用者Ｂが、携帯端末装置１１１でＴＶ放送の番組を視聴しているとき当該番組を録画したいと考える場合がある。この場合、利用者Ｂは、携帯端末装置１１１を操作し当該番組の情報を含む番組録画情報をネットワークを１０３介して記録センター１１２に送信する。この番組録画情報を受信した記録センター１１２は、当該番組録画情報に合致する映像情報データを１次蓄積装置３１０から探し出し、利用者Ｂ用蓄積装置３３２に複製する。その後、利用者Ｂは、記録センター１１２にネットワーク１０３を介して接続されている映像ダウンロード装置１３１が設置してあるコンビニエンスストア１１４に行き、この映像ダウンロード装置１３１を使って記録センター１１２の利用者Ｂ用蓄積装置に保存されている映像情報データを受信して記録媒体１１６（メディアともいう。以下同じ。）に保存する。利用者Ｂは、この映像記録データを保存した記録媒体１１６を利用者宅Ｂ１１５に持ち帰り、自宅の家庭用再生装置１４１で記録媒体１１６を再生し、ＴＶ１４２で映像記録データを視聴する。なお、ネットワークに接続された家庭用蓄積装置１２１を有する利用者であっても映像ダウンロード装置１３１を利用しても良い。
【００４２】
次に、図８に映像情報記録装置である映像ダウンロード装置の概略図を示す。映像ダウンロード装置１３１は、操作パネル８００、制御部８０１、ネットワークＩ／Ｆ８０２、映像蓄積装置８０３、メディア記録装置８０４から構成されている。ここで、ネットワークＩ／Ｆ８０２はネットワーク１０３に接続されている。
【００４３】
利用者が操作パネル８００を操作し、記録センター１１２の利用者用蓄積装置３３０に保存されている映像情報データを受信し、記録媒体１１６に記録するよう指示する。当該指示を受けた制御部８０１は、ネットワークＩ／Ｆ８０２から記録センター１１２に保存されている映像情報データの送信要求をするように指示する。そして、記録センター１１２から送信された映像情報データは、ネットワークＩ／Ｆ８０２を介して映像蓄積装置８０３に一時蓄積される。その後、制御部８０１は、映像蓄積装置８０３に保存されている映像情報データをメディア記録装置８０４で記録媒体１１６に記録するよう指示する。
【００４４】
本実施の形態の映像記録システムにすることにより、ネットワークを介して接続された映像蓄積再生装置を有しない利用者であっても当該映像記録システムを利用できる。
【００４５】
（実施の形態３）
図９に本実施の形態の映像記録システムの概念図を示す。本実施の形態の映像記録システムは、図７に示した映像記録システムに記録センター１１２からの記録媒体（例えば、ＤＶＤ−ＲやＤＶＤ−ＲＡＭ等）１１６の配送１１７を追加した構成である。本実施の形態も実施の形態２と同様、家庭用蓄積装置１２１を有していない者であっても本発明の映像記録システムを利用できるようにする映像記録システムである。本実施の形態は、記録センター１１２が利用者の要求した映像情報データを記録媒体１１６に記録し、当該記録媒体を利用者の指定する場所に配送すること特徴とする映像記録システムである。
【００４６】
例えば利用者が、携帯端末装置１１１でＴＶ放送の番組を視聴しているとき当該番組を録画したいと考える場合がある。この場合、利用者は、携帯端末装置１１１を操作し当該番組の情報を含む番組録画情報をネットワークを１０３介して記録センター１１２に送信する。この番組録画情報を受信した記録センター１１２は、当該番組録画情報に合致する映像情報データを１次蓄積装置３１０から探し出し、利用者用蓄積装置３３０に複製する。その後、記録センター１１２は、利用者の要求により利用者用蓄積装置３３０に保存されている映像情報データを記録媒体１１６に記録する。そして、記録センター１１２は、利用者が指定する場所にこの映像記録データを保存した記録媒体１１６を配送する。利用者は、利用者宅Ｂ１１５の家庭用再生装置１４１で記録媒体１１６を再生し、ＴＶ１４２で映像記録データを視聴する。なお、利用者は、携帯端末装置１１１で記録センター１１２に録画を要求する際にメディア記録要求と配送先を指示しておくことも可能である。また、ネットワークに接続された家庭用蓄積装置１２１を有する利用者であっても記録センター１１２からの記録媒体の配送を利用しても良い。
【００４７】
次に、図１０に映像情報処理装置である記録センター１１２の概略図を示す。本実施の形態の記録センター１１２は、図３に示した記録センター１１２にメディア記録装置３５１を追加した構成である。利用者用蓄積装置３３０に保存されている映像情報データを記録媒体１１６に記録し、当該記録媒体１１６を利用者宅等に配送する以外は実施の形態１に示した図３と同じであるため説明を省略する。
【００４８】
例えば、利用者からネットワーク１０３を介して記録センター１１２にメディア記録の要求があった場合、利用者用蓄積装置制御部３４１は、当該要求された映像情報データを利用者用蓄積装置３３０から探し出す。そして、探し出された映像情報データは、メディア記録装置３５１で記録媒体１１６に記録される。映像情報データが記録された記録媒体１１６は、利用者Ｂが指定する場所に配送１１７される。
【００４９】
本実施の形態の映像記録システムにすることにより、ネットワークを介して接続された映像蓄積再生装置を有しない利用者であっても当該映像記録システムを利用できる。
【００５０】
（実施の形態４）
上記の実施の形態１では、利用者が記録センター１１２に録画要求した映像情報データを家庭用蓄積装置１２１に受信するためは、記録センター１１２に送信を要求をしなければならなかった。一方、携帯端末装置１１１から記録センター１１２に送信される番組録画情報には、録画する番組情報以外にも利用者情報等の情報が含まれている。
【００５１】
そこで、本実施の形態では、携帯端末装置１１１から送信される番組録画情報に含まれる利用者情報に基づいて、予め記録センター１１２内に登録されている利用者宅の家庭用蓄積装置１２１に録画要求した映像情報データを自動送信する。本実施の形態の映像記録システムにすることにより、利用者は家庭用蓄積装置１２１を何ら操作せずに映像情報データを受信できる。
【００５２】
本実施の形態の変形例としては、携帯端末装置１１１から送信される番組録画情報に、映像情報データの送信先情報を含ませる。これにより、本変形例では、携帯端末装置１１１から記録センター１１２に送信される番組録画情報に含まれる送信先情報に基づいて、指定する家庭用蓄積装置１２１に録画要求した映像情報データを自動送信する。本変形例の映像記録システムにすることにより、利用者が希望する場所の家庭用蓄積装置１２１に録画要求した映像情報データを送信することができる。なお、送信先は、家庭用蓄積装置１２１以外に映像情報記録装置である映像ダウンロード装置１３１であっても良い。
【００５３】
さらに、本実施の形態の変形例としては、携帯端末装置１１１から送信される番組録画情報に、録画要求した映像情報データを送信する時間の情報を含ませる。これにより、本変形例では、携帯端末装置１１１から送信される番組録画情報に含まれる送信時間の情報に基づいて、指定時間に家庭用蓄積装置１２１に録画要求した映像情報データを自動送信する。本変形例の映像記録システムにすることにより、ネットワーク負荷の軽減や利用料金の削減ができネットワークの有効利用が可能となる。なお、携帯端末装置１１１から記録センター１１２に送信される番組録画情報に、送信時間の情報が含まれていなかった場合に、予め記録センター１１２に登録されている時間に録画要求した映像情報データを自動送信するという設定も可能である。
【００５４】
（実施の形態５）
図１１に本実施の形態の映像記録システムの概念図を示す。本実施の形態の映像記録システムは、図７に示した映像記録システムにネットワークの利用状況の監視１１８を追加した構成である。本実施の形態では、記録センター１１２から家庭用蓄積装置１２１又は映像ダウンロード装置１３１に映像情報データを送信する際に、ネットワーク１０３の利用状況（トラフィック）を監視し、ある一定レベル以下の閑散時に映像情報データを送信する。
【００５５】
つまり、記録センター１１２から家庭用蓄積装置１２１等に映像情報データを自動送信する場合に、記録センター１１２は、ネットワークの利用状況の監視１１８を行い、その利用状況がある一定レベル以下になるような深夜や早朝に映像情報データを家庭用蓄積装置１２１又は映像ダウンロード装置１３１に送信する。これにより、ネットワーク負荷の軽減できネットワークの有効利用が可能となる効果がある。なお、ネットワークの利用状況がある一定レベル以上であっても利用者が映像情報データの送信要求をした場合は、当該映像情報データの送信を行う。
【００５６】
（実施の形態６）
図１２に本実施の形態の映像記録システムの概念図を示す。実施の形態１では、携帯端末装置１１１から番組録画情報を記録センター１１２に送信して、番組の映像情報データを家庭用蓄積装置１２１で受信する映像記録システムであった。本実施の形態では、番組録画情報を記録センター１１２に送信する機能を家庭用蓄積装置１２１に持たせている。
【００５７】
つまり利用者Ａが、利用者宅Ａ１１３のＴＶ１２２でＴＶ放送の番組を視聴しているとき当該番組を録画したいと考えた場合、利用者Ａは、家庭用蓄積装置１２１を操作し当該番組の情報を含む番組録画情報をネットワークを１０３介して記録センター１１２に送信する。この番組録画情報を受信した記録センター１１２は、当該番組録画情報に合致する映像情報データを１次蓄積装置３１０から探し出し、利用者Ａ用蓄積装置３３１に複製する。その後、利用者Ａは、家庭用蓄積装置１２１を使って記録センター１１２の利用者Ａ用蓄積装置３３１に保存されている映像情報データを受信し、再生し、ＴＶ１２２で映像記録データを視聴する。これにより、番組途中から録画の開始要求をしても、番組の最初から録画可能である。
【００５８】
また、本実施の形態では、番組録画情報を記録センター１１２に送信する機能を家庭用蓄積装置１２１に持たせたが、映像ダウンロード装置１３１に番組録画情報を記録センター１１２に送信する機能を持たせることも可能である。
【００５９】
次に、図１３に本実施の形態の変形例の映像記録システムの概念図を示す。上記の実施の形態６では、番組録画情報を記録センター１１２に送信する機能を家庭用蓄積装置１２１に持たせている。本変形例では、記録センター１１２から送信される番組の映像情報データを受信・再生し、保存する機能を携帯端末装置１１１に持たせている。
【００６０】
つまり利用者が、携帯端末装置１１１でＴＶ放送の番組を視聴しているとき当該番組を録画したいと考えた場合、利用者は、携帯端末装置１１１を操作し当該番組の情報を含む番組録画情報をネットワークを１０３介して記録センター１１２に送信する。この番組録画情報を受信した記録センター１１２は、当該番組録画情報に合致する映像情報データを１次蓄積装置３１０から探し出し、利用者用蓄積装置３３０に複製する。その後、利用者は、携帯端末装置１１１を使って記録センター１１２の利用者用蓄積装置３３０に保存されている映像情報データを受信・再生し、携帯端末装置１１１で映像記録データを視聴する。これにより、遠隔操作によって録画したい番組を録画し、その後端末装置で視聴することができる。なお、携帯端末装置１１１で受信した映像情報データを保存することも可能である。
【００６１】
また、上記の変形例では、携帯端末装置１１１はＴＶ放送を受信し表示する機能を有している。しかし、当該機能を有していなくても携帯端末装置１１１が、番組録画情報を送信し、映像情報データを受信・再生することができれば、間接的にＴＶ放送を携帯端末装置１１１で視聴することも可能となる。
【００６２】
【発明の効果】
本発明の請求項１に記載の映像記録システムは、利用者が端末装置を操作して映像情報処理装置に保存された映像情報データを映像蓄積再生装置に送信することで、番組途中から録画の開始要求をしても、番組の最初から録画可能であり、また遠隔操作によって録画したい番組を録画し、その後視聴することができる効果がある。
【００６３】
本発明の請求項２に記載の映像情報処理装置は、インターフェイス部において、利用者より番組録画情報を受信すると、当該番組録画情報で特定される番組の映像情報データが第１の蓄積装置から選択され、選択された当該映像情報データへのリンクデータが第２の蓄積装置に生成されるので、番組途中から録画の開始要求をしても、番組の最初から録画可能である効果がある。
【００６４】
本発明の請求項３に記載の映像情報処理装置は、インターフェイス部が、ネットワークを介して利用者の端末装置と接続され、利用者は端末装置から番組録画情報を送信するので、遠隔操作によって録画したい番組を録画し、その後視聴することができる効果がある。
【００６５】
本発明の請求項４に記載の映像情報処理装置は、インターフェイス部が、映像情報データを保存、再生又は記録媒体に記録する映像蓄積再生装置とネットワークを介して接続され、第２の蓄積装置に保存されたリンクデータに基づき、第１の蓄積装置に記録された映像情報データを選択し、映像蓄積再生装置に送信するので、利用者は映像蓄積再生装置を何ら操作せずに映像情報データを受信できる効果がある。
【００６６】
本発明の請求項５に記載の映像情報処理装置は、インターフェイス部が、映像情報データを記録媒体に記録する映像情報記録装置とネットワークを介して接続され、第２の蓄積装置に保存されたリンクデータに基づき、第１の蓄積装置に記録された映像情報データを映像情報記録装置に送信するので、ネットワークを介して接続された映像蓄積再生装置を有しない利用者であっても利用できる効果がある。
【００６７】
本発明の請求項６に記載の映像情報処理装置は、利用者が要求する番組録画情報に基づき、利用者が要求する番組の映像情報データを記録媒体に記録するので、映像情報データを異なる装置でも利用可能にすることができる効果がある。
【図面の簡単な説明】
【図１】  本発明の実施の形態１の映像記録システムの概念図である。
【図２】  本発明の実施の形態１の端末装置の概略図である。
【図３】  本発明の実施の形態１の映像情報処理装置の概略図である。
【図４】  本発明の実施の形態１のｃｈ１用１次蓄積装置の概念図である。
【図５】  本発明の実施の形態１の利用者Ａ用蓄積装置の概念図である。
【図６】  本発明の実施の形態１の映像蓄積再生装置の概略図である。
【図７】  本発明の実施の形態２の映像記録システムの概念図である。
【図８】  本発明の実施の形態２の映像情報記録装置の概略図である。
【図９】  本発明の実施の形態３の映像記録システムの概念図である。
【図１０】  本発明の実施の形態３の映像情報処理装置の概略図である。
【図１１】  本発明の実施の形態５の映像記録システムの概念図である。
【図１２】  本発明の実施の形態６の映像記録システムの概念図である。
【図１３】  本発明の実施の形態６の映像記録システムの概念図である。
【符号の説明】
１０１  放送センター、１０２  通信基地局、１０３  ネットワーク、１１１携帯端末装置、１１２  記録センター、１１３  利用者宅Ａ、１１４  コンビニエンスストア、１１５  利用者宅Ｂ、１１６  記録媒体、１１７  配送、１１８  ネットワークの利用状況の監視、１２１  家庭用蓄積装置、１２２  ＴＶ、１３１  映像ダウンロード装置、１４１  家庭用再生装置、１４２  ＴＶ、２００  受信アンテナ、２０１  チューナ、２０２  映像復調部、２０３  ＴＶ部、２０４  番組情報取得手段、２１０  制御部、２１１  制御ボタン、２２０  通信手段、３００  アンテナ、３０１  チューナ、３０２  ネットワークＩ／Ｆ、３０３  記録指示制御部、３１０  １次蓄積装置、３１１  ｃｈ１用１次蓄積装置、３１２  ｃｈ２用１次蓄積装置、３２１  データコピー制御部、３３０  利用者用蓄積装置、３３１  利用者Ａ用の蓄積装置、３３２  利用者Ｂ用の蓄積装置、３４１  利用者用蓄積装置制御部、３５１  メディア記録装置、４０１  番組情報、４０２  映像データ、４０３  番組終了フラグ、４０４  番組情報、４０５  映像データ、４０６  番組終了フラグ、５０１  番組情報、５０２  映像データ、５０３  番組終了フラグ、５０４  番組情報、５０５  映像データ、５０６  番組終了フラグ、６０１  制御部、６０２  ネットワークＩ／Ｆ、６０３映像蓄積装置、６０４  メディア記録装置、６０５  映像復調装置、６１０  リモコン、８００  操作パネル、８０１  制御部、８０２  ネットワークＩ／Ｆ、８０３  映像蓄積装置、８０４  メディア記録装置。
【図１】
0004150209.tif 000002
【図２】
0004150209.tif 000003
【図３】
0004150209.tif 000004
【図４】
0004150209.tif 000005
【図５】
0004150209.tif 000006
【図６】
0004150209.tif 000007
【図７】
0004150209.tif 000008
【図８】
0004150209.tif 000009
【図９】
0004150209.tif 000010
【図１０】
0004150209.tif 000011
【図１１】
0004150209.tif 000012
【図１２】
0004150209.tif 000013
【図１３】
0004150209.tif 000014